(57)【要約】【課題】携帯用端末の高機能化および携帯性を維持する。【解決手段】携帯電話機で利用される可能性のあるデータ群を、そのデータ群の復号ソフトウェア及び書き込みソフトウェアと共に、メモリカードに記憶させ、携帯電話機の内蔵メモリにコントロールソフトウェア及び復号キーを予め保存する。内蔵メモリの空き容量はデータ群の情報容量よりも小さい。ユーザは携帯電話機の購入時に、メモリカードを携帯電話機に装着し、ユーザが必要とする又はユーザの好みに合うデータをデータ群の各項目ごとにユーザが表示画面で選択し、選択データを携帯電話機の内蔵メモリに書き込む。【選択図】  図１
2004320223.tif 000002
【特許請求の範囲】
【請求項１】
データ群が格納される外部メモリと、携帯用端末とを備え、前記携帯用端末は、前記外部メモリのデータ群から選択データを選択するためのデータ選択部と、該データ選択部で選択された前記選択データが書き込まれる内蔵メモリとを備えたことを特徴とする選択データ書込システム。
【請求項２】
前記外部メモリは、前記データ群の復号のための復号ソフトウェアと、該復号ソフトウェアに基づき復号された前記データ群からの前記選択データの選択のための書き込みソフトウェアとを格納することを特徴とする請求項１記載の選択データ書込システム。
【請求項３】
前記内蔵メモリは、前記外部メモリの前記復号ソフトウェアおよび前記書き込みソフトウェアの実行を制御するためのコントロールソフトウェアと、暗号化された前記データ群の復号のための復号キーとを格納することを特徴とする請求項２記載の選択データ書込システム。
【請求項４】
前記携帯用端末は前記データ選択部で選択された前記選択データを内蔵メモリに書き込むための制御を行う制御部を備え、前記コントロールソフトウェア、前記復号ソフトウェアおよび前記書き込みソフトウェアは制御部で実行されることを特徴とする請求項３記載の選択データ書込システム。
【請求項５】
前記コントロールソフトウェアは前記外部メモリのデータ群が改ざんされているか否かをチェックするのためのソフトウェアであることを特徴とする請求項３記載の選択データ書込システム。
【請求項６】
前記内蔵メモリは前記データ群の容量より小さくかつ前記選択データの容量以上の空きスペースを有し、前記データ選択部で選択された前記選択データは前記空きスペースに書き込まれることを特徴とする請求項１記載の選択データ書込システム。
【請求項７】
前記携帯用端末は前記外部メモリの前記選択データを書き込む際に前記外部メモリを装着する装着部を備えたことを特徴とする請求項１記載の選択データ書込システム。
【請求項８】
前記データ選択部は表示画面を有し、該表示画面に表示される前記データ群から前記選択データを選択することを特徴とする請求項１記載の選択データ書込システム。
【請求項９】
前記選択データは、ユーザが必要な機能のみを選択して得たデータであることを特徴とする請求項１記載の選択データ書込システム。
【請求項１０】
前記選択データは、ユーザが自ら簡単な操作を行うことによって決定されたデータであることを特徴とする請求項１記載の選択データ書込システム。
【請求項１１】
前記データ群は、メロディデータ、画像データ、フォントデータ、Ｊａｖａ（登録商標）アプリケーションおよびアイコンデータのうち少なくとも１つを含むことを特徴とする請求項１記載の選択データ書込システム。
【請求項１２】
前記外部メモリはメモリカードであることを特徴とする請求項１記載の選択データ書込システム。
【請求項１３】
外部から供給されるデータ群から選択データを選択するためのデータ選択部と、該データ選択部で選択された前記選択データが書き込まれる内蔵メモリと、前記データ選択部での前記選択データの選択および前記選択データの前記内蔵メモリへの書き込みを制御する制御部とを備えた携帯用端末。
【請求項１４】
前記内蔵メモリは、暗号化された前記データ群の復号に用いる復号キーと、該復号キーを用いて行う前記データ群の復号を制御するためのコントロールソフトウェアとを格納することを特徴とする請求項１３記載の携帯用端末。
【請求項１５】
前記内蔵メモリは前記データ群の容量より小さくかつ前記選択データの容量以上の空きスペースを有し、前記データ選択部で選択された前記選択データを前記空きスペースに書き込むことを特徴とする請求項１３記載の携帯用端末。
【請求項１６】
前記携帯用端末は前記選択データを書き込む際に前記データ群を格納する外部メモリを装着する装着部を備えたことを特徴とする請求項１３記載の携帯用端末。
【請求項１７】
前記データ選択部は表示画面であり、該表示画面に表示される前記データ群から前記選択データを選択することを特徴とする請求項１３記載の携帯用端末。
【請求項１８】
前記内蔵メモリへ書き込まれる前記選択データは、ユーザが必要な機能のみを選択して得たデータであることを特徴とする請求項１３記載の携帯用端末。
【請求項１９】
前記内蔵メモリへ書き込まれる前記選択データは、ユーザが自ら簡単な操作を行うことによって決定されたデータであることを特徴とする請求項１３記載の携帯用端末。
【請求項２０】
携帯用端末の内蔵メモリに格納されるコントロールソフトウェアに基づき外部メモリに格納されるデータ群に誤りがあるか否かを検査し、前記データ群に誤りがない場合に前記外部メモリに格納される復号ソフトウェアおよび前記内蔵メモリに格納される復号キーに基づき前記データ群を復号し、前記外部メモリに格納される書き込みソフトウェアに基づき復号されたデータ群から選択データを選択し、該選択データを前記内蔵メモリの空きスペースに書き込むことを特徴とする選択データ書込方法。
【請求項２１】
前記選択データを前記内蔵メモリの空きスペースに書き込む手順は、前記選択データが所定の項目の全てを含むか否かを確認し、前記選択データの容量が前記内蔵メモリの空きスペースの格納容量以下であるか否かを確認し、前記選択データが所定の項目の全てを含みかつ前記選択データの容量が前記内蔵メモリの空きスペースの格納容量以下である場合に前記選択データを前記内蔵メモリの空きスペースに書き込むことを認める手順を含むことを特徴とする請求項２０記載の選択データ書込方法。
【請求項２２】
前記データ群から前記選択データを選択する手順は、ユーザが必要な機能のみを選択する手順を含むことを特徴とする請求項２０記載の選択データ書込方法。
【請求項２３】
前記データ群から前記選択データを選択する手順は、ユーザが自ら簡単な操作を行うことによって決定する手順を含むことを特徴とする請求項２０記載の選択データ書込方法。
【発明の詳細な説明】
【０００１】
【発明の属する技術分野】
本発明は、各ユーザの必要性または好みに合わせて大容量のデータ群から選択されたデータを携帯電話機などの携帯用端末に書き込む選択データ書込システム、携帯用端末および選択データ書込方法に関する。
【０００２】
【従来の技術】
携帯用端末として利用される携帯電話機には年々さまざまな機能が追加され、その結果、現在の携帯電話機に対し数年前のパソコンに要求されたスペックと同程度のスペックが要求されるようになってきている。今後はさらに携帯電話機の高機能化が加速していくものと思われる。
【０００３】
このような携帯電話機の高機能化により、携帯電話機に内蔵されるメモリの容量の増加を避けることができなくなってきている。一方、固定型であるパソコンに組み込まれているような大容量のストレージデバイスを携帯電話機に組み込むことは、携帯電話機の携帯性を維持することを考慮すると、好ましいことではない。それで、携帯電話機のメーカーは、より多くの機能を小さい容量のメモリに効率的に格納することで携帯電話機をコストパフォーマンスのよい端末にしたいと考えている。
【０００４】
なお、本発明に関連した先行技術文献としては、以下のものがある。
【０００５】
【特許文献１】
特開２００１−１８９９７２公報（請求項１、段落番号［００１８］、図１）。
【０００６】
【発明が解決しようとする課題】
しかしながら、ユーザは必ずしも携帯電話機に内蔵されているデータの全てを使用しているわけではない。例えばフォントデータには数種類のタイプがあるが、ほとんどのユーザは一番好みに合うタイプのフォントデータを様々なタイプから選択し、選択したフォントデータを変更することはない。また、メロディデータには数多くの種類の効果音やメロディが登録されているが、これらのうち各ユーザが必要とするのはごく一部の種類の効果音やメロディである。それで、携帯電話機の限られた容量の内蔵メモリに各ユーザにとって無駄なデータが不可避的に格納されることになるので、内蔵メモリのサイズが大きくなり、携帯電話機の携帯性が損なわれてしまうという問題があった。
【０００７】
また、特許文献１の発明では、ユーザが希望するアプリケーション・プログラムをメモリカードに予め記憶し、メモリカードを携帯電話端末のバッテリパックのスロットに装着し、アプリケーション・プログラムを実行する。しかしながら、メモリカードを携帯電話端末に装着した状態でアプリケーション・プログラムを実行するので、実質的に大きな容量のメモリを有する携帯電話端末を使用することになり、アプリケーション・プログラムの実行において携帯電話端末の携帯に不便を感じるという問題があった。
【０００８】
本発明は上記の問題点に鑑みてなされたものであり、内蔵メモリのサイズを大きくすることなく携帯用端末の高機能化を達成するようにした選択データ書込システムを提供することを目的とする。
【０００９】
【課題を解決するための手段】
この発明に係る選択データ書込システムは、データ群が格納される外部メモリと、外部メモリのデータ群から選択された選択データが書き込まれる携帯用端末を備え、携帯用端末は、データ群の容量より小さくかつ選択データの容量以上の空きスペースを有する内蔵メモリと、外部メモリのデータ群から選択データを選択するためのデータ選択部とを備える。
【００１０】
この発明に係る携帯用端末は、外部から供給されるデータ群から選択データを選択するためのデータ選択部と、データ選択部で選択された選択データが書き込まれる内蔵メモリと、データ選択部での選択データの選択および選択データの内蔵メモリへの書き込みを制御する制御部とを備える。
【００１１】
この発明に係る選択データ書込方法は、携帯用端末の内蔵メモリに格納されるコントロールソフトウェアに基づき外部メモリに格納されるデータ群に誤りがあるか否かを検査し、データ群に誤りがない場合に外部メモリに格納される復号ソフトウェアおよび内蔵メモリに格納される復号キーに基づき前記データ群を復号し、外部メモリに格納される書き込みソフトウェアに基づき復号されたデータ群から選択データを選択し、選択データを内蔵メモリの空きスペースに書き込むステップを備える。
【００１２】
【発明の実施の形態】
以下、本発明の実施の形態を、図面を参照しつつ詳細に説明する。
【００１３】
図１は本発明の実施形態における選択データ書込システムの構成を示す図であり、図１（ａ）は選択データ書込システムを構成する一部切り欠けで示す携帯電話機およびメモリカードの斜視図であり、図１（ｂ）は選択データ書込システムのブロック図である。図２は図１に示す選択データ書込システムのメモリカードに格納されるデータを示す図であり、図３は図１に示す選択データ書込システムの携帯電話機の内蔵メモリに格納されるデータを示す図であり、図４は選択データ書込システムで実施される携帯電話機に搭載するデータを選択する手順を示すフローチャートであり、図５は選択データ書込システムの携帯電話機の画面に表示される選択データを示す図である。
【００１４】
図１（ａ）および図１（ｂ）に示すように、選択データ書込システムは、携帯電話機（携帯用端末）１とメモリカード（外部メモリ）２とから構成される。携帯電話機１は、無線通信のために必要な構成部品（例えば、操作ボタン、通信データ処理部、通信制御部、音声入出力部、アンテナなど）に加えて、不揮発性の内蔵メモリ１１と、メモリカード２を受け入れるメモリカードスロット（装着部）１２と、表示画面１３（データ選択部）と、データ書込制御部１４と、データ選択ボタン（データ選択部）１５とを備えている。メモリカード２は、たとえばコンパクトフラッシュ（登録商標）である。内蔵メモリ１１は、たとえば書き換え可能なメモリであるＥＥＰＲＯＭである。
【００１５】
図２に示すように、メモリカード２は、メロディデータ、画像データ、フォントデータ、Ｊａｖａ（登録商標）アプリケーション、アイコンデータなどの暗号化された各種携帯電話機用データ群２１を格納する領域２１Ｒと、これらデータ群２１の復号に使用する復号ソフトウェア２２を格納する領域２２Ｒと、後述するようにデータ群２１から選択データを選択するようにユーザに促すとともに選択されたデータを内蔵メモリ１１へ書き込むための書き込みソフトウェア２３を格納する領域２３Ｒを有する。
【００１６】
データ群２１の例を以下に示す。メロディデータとして、様々な種類の効果音（効果音１、効果音２など）と、様々な種類のメロディ（メロディ１、メロディ２など）が用意されている。画像データとして、様々な種類の画像（静止画像１、静止画像２、動画像１、動画像２など）と、画像の様々なサイズ（１４４×１４４、２８８×３５２など）が用意されている。フォントデータとして、様々なタイプのフォント（明朝体、ゴシック体、行書体など）と、フォントの様々なサイズ（８、１０．５、１２、１４、１６、１８、２０など）が用意されている。Ｊａｖａ（登録商標）アプリケーションとして、様々な種類のアプリケーション（アプリケーション１、アプリケーション２など）が用意されている。アイコンデータとして、機能ごとのアイコン（電池マーク、アンテナマーク、メニューアイコンなど）が用意されている。
【００１７】
図３に示すように、内蔵メモリ１１は、メモリカードスロット１２に差し込まれたメモリカード２に格納される復号ソフトウェア２２および書き込みソフトウェア２３を起動させるためのコントロールソフトウェア３１を格納する領域３１Ｒと、暗号化されたデータ群２１の復号ソフトウェア２２による復号時に用いる復号キー３２を格納する領域３２Ｒと、選択され復号されたデータを選択データ３３として書き込むための書き込み領域（空きスペース）３３Ｒを有する。書き込み領域３３Ｒの格納容量はデータ群２１の全情報容量よりも小さい。
【００１８】
データ書込制御部１４は、メモリカード２および内蔵メモリ１１に格納されているソフトウェア２２、２３、３１を実行するＣＰＵ（図示省略）を有する。
【００１９】
ここで、復号ソフトウェア２２および書き込みソフトウェア２３はそれらの起動のためにコントロールソフトウェア３１の機能が必要であるように設定され、復号ソフトウェア２２および書き込みソフトウェア２３は単体で動作することはできない。その理由は、メモリカード２に対応する携帯電話機１のユーザのみにメモリカード２に格納されるデータ群２１を使用する権利を与えるためである。
【００２０】
次に、選択データ書込システムの動作について図４を参照しつつ詳細に説明する。
【００２１】
ここで、図４に示すフローチャートの各ステップの処理は、データ書込制御部１４のＣＰＵがメモリカード２および内蔵メモリ１１に格納されているソフトウェア２２、２３、３１を実行することによって、行われる。
【００２２】
ユーザは、携帯電話機１の購入時に、メモリカードスロット１２にメモリカード２を挿入し電源を入れると（ステップ１）、書き込み制御部１４が動作を始め、良く知られた技術と同様に、メモリカードスロット１２にメモリカード２が挿入されているか否かを確認する（ステップ２）。
【００２３】
メモリカード２の挿入を確認（ステップ２でＹＥＳ）すると、内蔵メモリ１１に格納されるコントロールソフトウェア３１を起動し（ステップ３）、メモリカード２に含まれる全てのデータ（データ群２１、復号ソフトウェア２２および書き込みソフトウェア２３）を書き込み制御部１４に読み出し、これらのデータに対し良く知られる巡回冗長検査（ＣＲＣ）を行う（ステップ４）。この検査においてデータに誤りが検出された場合（ステップ４においてＮＧ）、メモリカード２に含まれるデータが改ざんされていると想定される。それで、携帯電話機１へのデータ書き込み動作は強制終了される。書き込み動作を終了する理由は、不正なデータによる携帯電話機１の故障を防ぐためであり、またユーザが利用する権利を有さないデータをユーザが不正使用することを防ぐためである。
【００２４】
一方、検査において誤りがなければ（ステップ４においてＯＫ）、コントロールソフトウェア３１に基づきメモリカード２に格納されている復号ソフトウェア２２を読み出し、復号ソフトウェア２２を起動する（ステップ５）。次いで、復号キー３２を内蔵メモリ１１から取得し（ステップ６）、復号キー３２を使用して復号ソフトウェア２２に基づきデータ群２１を復号する（ステップ７）。
【００２５】
データ群２１の復号が完了すると、コントロールソフトウェア３１に基づき復号ソフトウェア２２の動作を終了するとともに書き込みソフトウェア２３を起動する（ステップ８）。書き込みソフトウェア２３の動作により、図５に示すように、データ群２１の中からのデータの選択をユーザに促す画像が携帯電話機１の表示画面１３に表示される。
【００２６】
次いで、ユーザは書き込みソフトウェア２３を使用してデータ群２１の中からユーザが必要とするまたはユーザの好みに合うデータを、メロディ、画像、フォント、Ｊａｖａ（登録商標）アプリケーションおよびアイコンの各項目ごとに選択データ３３として選択する（ステップ９）。書き込みソフトウェア２３として、例えばグラフィカル・ユーザ・インタフェース（ＧＵＩ）などのインタフェースを使用することにより、ユーザは簡単に選択データ３３の選択操作が行える。また、データ選択ボタン１５を適宜押すことによりデータ選択操作を行っても良い。
【００２７】
次いで、書き込みソフトウェア２３を用いて選択データ３３が書き込み可能条件を満たしているか否かが確認される（ステップ１０）。たとえば、選択データ３３の情報容量の合計が、データ書き込み領域３３Ｒの格納容量より小さいかどうか、また各種機能に必要最低限のデータが選択されているかが確認される。書き込み可能条件が満たされている場合には、書き込みソフトウェア２３に基づき、書き込み開始をユーザに促すメッセージを表示画面１３に表示する。また、書き込み可能条件が満たされていない場合には、書き込みソフトウェア２３に基づき、書き込み可能条件が満たされていない旨のメッセージを表示画面１３に表示する。例えば、選択データ３３の情報容量を減らすようにユーザに促すメッセージまたは選択されていないデータ群２１の項目において選択を行うようにユーザに促すメッセージを表示画面１３に表示する。
【００２８】
ユーザは、書き込み可能条件が満たされていない旨のメッセージが表示された場合、書き込み可能条件を満たすように選択データ３３を修正する。また、書き込み開始をユーザに促すメッセージが表示された場合、メッセージに従ってユーザは書き込み開始を指示する。たとえば、表示画面１３に表示された書き込み開始のボタンまたはデータ選択ボタン１５を押す。それで、ユーザの書き込み開始指示を受けると、ユーザが選択したデータ３３の書き込みを開始する（ステップ１１）。
【００２９】
選択データ３３のデータ書き込み領域３３Ｒへの書き込みが終了すると、データ書き込み領域３３Ｒのメモリ残量が表示画面１３に表示されるとともに書き込み完了のメッセージ（図示省略）を表示画面１３に表示する。
【００３０】
以上の操作を行うことにより、選択データ書込システムでの選択データ３３の携帯電話機１への書き込みが完了し、ユーザはメモリカードスロット１２に装着されたメモリカード２を取り出す。以降、携帯電話機１は他者との通信が行える状態におかれる。
【００３１】
以上のように、データ書き込み領域３３Ｒの格納容量より大きな情報容量であるデータ群２１（メロディデータ、画像データ、フォントデータ、Ｊａｖａ（登録商標）アプリケーションおよびアイコンデータ）は従来において携帯電話機に内蔵されていたが、この実施形態によれば、メーカーから提供されるメモリカード２に格納した。そのため、この大きなデータ量であるデータ群２１の全てを携帯電話機１に格納する必要が無い。
【００３２】
また、ユーザが必要とする機能のみを選択して得られた選択データ３３のみを格納する内蔵メモリ１１としたので、内蔵メモリ１１は効率的に使用でき、内蔵メモリ１１のサイズを小さくすることができる。したがって、コストパーフォーマンスの良い携帯電話機１を得ることができ、携帯電話機１の軽量化および縮小化が容易であり、携帯に便利な携帯電話機１を低コストで生産することができる。
【００３３】
また、メモリカード２に格納されたデータ群２１からユーザが必要とする又はユーザの好みに合うデータを、ユーザ自ら簡単な操作を行うことによって選択し、選択データ３３として内蔵メモリ１１へ書き込むことができるので、ユーザが必要とする又はユーザの好みに合うデータのみを携帯電話機１へ簡単に取り込むことができる。
【００３４】
また、ユーザが携帯電話機１を購入した時点で不揮発性の内蔵メモリ１１に選択データ３３を書き込むので、書き込み以降、ユーザは自身に最も適する選択データ３３を確実に使い続けることができる。
【００３５】
また、メモリカード２に記録される復号ソフトウェア２２および書き込みソフトウェア２３の起動のために必要とされるコントロールソフトウェア３１および復号キー３２は携帯電話機１の内蔵メモリ１１に格納されるので、携帯電話機１のユーザのみがメモリカード２のデータ群２１から選択データ３３を選択し内蔵メモリ１１に格納することができる。言い換えれば、たとえば、メモリカード２のデータを使用する権利を有しない第３者がその所有する携帯電話機に選択データ３３を書き込もうとしても、コントロールソフトウェア３１および復号キー３２が第３者の携帯電話機に格納されていないので、第３者はメモリカード２を使用することはできない。
【００３６】
また、携帯電話機１の内蔵メモリ１１に格納されるコントロールソフトウェア３１を用いてメモリカード２に含まれる全てのデータに対しＣＲＣを行うので、改ざんされたメモリカード２を用いての携帯電話機１へのデータ書き込みを防ぐことができる。言い換えれば、ユーザが使用権を有しないデータを不当に携帯電話機１へ書き込む行為を防ぐことができる。また、改ざんされたデータによる携帯電話機１の故障を未然に防ぐことができる。
【００３７】
また、データ書き込み領域３３Ｒのメモリ残量が表示画面１３に表示されるので、メモリ残量に余裕がある場合、ユーザはさらに選択データ３３を追加するようにしても良い。
【００３８】
本実施形態では、携帯電話機１の購入時に選択データ３３を内蔵メモリ１１に格納したが、ユーザの必要に応じて、選択データ３３を更新できるようにしても良い。
【００３９】
また、本実施形態では、メモリカード２を携帯電話機１に装着することにより選択データ３３を内蔵メモリ１１に格納したが、大きな格納容量を有するメモリを備えた装置（たとえば、パーソナルコンピュータ）から携帯電話機１へ無線回線または有線回線を用いて選択データ３３を内蔵メモリ１１に格納するようにしてもよい。
【００４０】
また、本実施形態では、携帯電話機１にメモリカード２を装着するようにしたが、本発明は携帯電話機に限定されない。たとえば、ＰＨＳまたはＰＤＡ（パーソナル・デジタル・アシスタンス）でも良い。
【００４１】
【発明の効果】
以上のように、この発明の選択データ書込システムによれば、データ群が格納される外部メモリと、外部メモリのデータ群から選択された選択データが書き込まれる携帯用端末を備え、携帯用端末は、データ群の容量より小さくかつ選択データの容量以上の空きスペースを有する内蔵メモリと、外部メモリのデータ群から選択データを選択するためのデータ選択部とを備えるようにしたので、内蔵メモリのサイズを大きくすることなく携帯用端末の高機能化を達成することができる。
【００４２】
この発明の携帯用端末によれば、外部から供給されるデータ群から選択データを選択するためのデータ選択部と、データ選択部で選択された選択データが書き込まれる内蔵メモリと、データ選択部での選択データの選択および選択データの内蔵メモリへの書き込みを制御する制御部とを備えるので、内蔵メモリのサイズを大きくすることなく携帯用端末の高機能化を達成することができる。
【００４３】
この発明の選択データ書込方法によれば、携帯用端末の内蔵メモリに格納されるコントロールソフトウェアに基づき外部メモリに格納されるデータ群に誤りがあるか否かを検査し、データ群に誤りがない場合に外部メモリに格納される復号ソフトウェアおよび内蔵メモリに格納される復号キーに基づき前記データ群を復号し、外部メモリに格納される書き込みソフトウェアに基づき復号されたデータ群から選択データを選択し、選択データを内蔵メモリの空きスペースに書き込むステップを備えるので、内蔵メモリのサイズを大きくすることなく携帯用端末の高機能化を達成することができる。
【図面の簡単な説明】
【図１】本発明の実施形態における選択データ書込システムの構成を示す図である。
【図２】図１に示す選択データ書込システムのメモリカードに格納されるデータを示す図である。
【図３】図１に示す選択データ書込システムの携帯電話機の内蔵メモリに格納されるデータを示す図である。
【図４】選択データ書込システムで実施される携帯電話機に搭載するデータを選択する手順を示すフローチャートである。
【図５】選択データ書込システムの携帯電話機の画面に表示される選択データを示す図である。
【符号の説明】
１  携帯電話機
２  メモリカード
１１  内蔵メモリ
１２  メモリカードスロット
１３  表示画面
１４  データ書込制御部
１５  データ選択ボタン
２１  データ群
２２  復号ソフトウェア
２３  書き込みソフトウェア
２１Ｒ，２２Ｒ，２３Ｒ  格納領域
３１  コントロールソフトウェア
３２  復号キー
３３  選択データ
３１Ｒ，３２Ｒ，３３Ｒ  格納領域
【図１】
2004320223.tif 000003
【図２】
2004320223.tif 000004
【図３】
2004320223.tif 000005
【図４】
2004320223.tif 000006
【図５】
2004320223.tif 000007